(57)【要約】  本発明は、Ｃｅｌｌｕｌａｒ−ＷｉＦｉ融合システムにおいて、一般装置から取得した情報を利用してＷｉＦｉネットワークを介してＡｃｃｅｓｓ Ｐｏｉｎｔを登録する方法及び装置に関し、セルラシステムとＷｉ−Ｆｉシステムが融合された通信システムにおいて、セカンダリＲＡＴシステムエンティティが一般装置とＷｉＦｉネットワークを介してプライマリＲＡＴシステム情報を取得し、取得した情報に基づいてＷｉＦｉネットワークを介して管理装置に自分の情報を知らせる方法を提供する。【選択図】図５
2016502342.tif 000002
【特許請求の範囲】
【請求項１】
無線通信システムにおけるプライマリ(ｐｒｉｍａｒｙ)ＲＡＴ(ｒａｄｉｏ ａｃｃｅｓｓ ｔｅｃｈｎｏｌｏｇｙ)システムに関連した情報を取得する方法において、
セカンダリＲＡＴシステムに属するエンティティが一般装置に前記プライマリＲＡＴシステムに関連した情報を要求するメッセージを送信するステップであって、前記要求メッセージは、前記セカンダリＲＡＴシステムネットワークを介して送信される、ステップと、
前記一般装置からの前記要求メッセージに応答して応答メッセージを受信するステップであって、前記応答メッセージは、前記プライマリＲＡＴシステムに関連した情報を含む、ステップと、
前記セカンダリＲＡＴシステムに属するエンティティが前記応答メッセージ内に含まれる前記プライマリＲＡＴシステムに関連した情報を管理サーバに送信するステップを含む、無線通信システムにおけるプライマリ(ｐｒｉｍａｒｙ)ＲＡＴ(ｒａｄｉｏ ａｃｃｅｓｓ ｔｅｃｈｎｏｌｏｇｙ)システムに関連した情報を取得する方法。
【請求項２】
前記要求メッセージは、ＡＲＳＩ−ＲＥＱ(Ａｄｖａｎｃｅｄ ｐｒｉｍａｒｙ ＲＡＴ Ｓｙｓｔｅｍ Ｉｎｆｏｒｍａｔｉｏｎ Ｒｅｑｕｅｓｔ)メッセージである、請求項１に記載の方法。
【請求項３】
前記応答メッセージは、ＡＲＳＩ−ＲＳＰ(Ａｄｖａｎｃｅｄ ｐｒｉｍａｒｙ ＲＡＴ Ｓｙｓｔｅｍ Ｉｎｆｏｒｍａｔｉｏｎ Ｒｅｓｐｏｎｓｅ)メッセージである、請求項１に記載の方法。
【請求項４】
前記ＡＲＳＩ−ＲＥＱメッセージは、既存ＩＥＥＥ８０２.１１ＭＡＣフレーム形態により示される、請求項２に記載の方法。
【請求項５】
前記ＡＲＳＩ−ＲＥＱメッセージは、動作コード(Ａｃｔｉｏｎ ｃｏｄｅ)を示すパラメータを含む、請求項２に記載の方法。
【請求項６】
前記動作コードは、ビットマップ(ｂｉｔｍａｐ)形態に構成され、複数の動作が要求可能である、請求項５に記載の方法。
【請求項７】
前記プライマリＲＡＴシステムに関連した情報と共に、前記セカンダリＲＡＴシステムに属するエンティティと関連した情報を、前記管理サーバに送信するステップをさらに含む、請求項１に記載の方法。
【請求項８】
前記プライマリＲＡＴシステムは、セルラシステムであり、前記プライマリＲＡＴシステムに属するノードは、セルラ基地局、セルラＭＭＥ(ｍｏｂｉｌｉｔｙ ｍａｎａｇｅｍｅｎｔ ｅｎｔｉｔｙ)または前記セルラシステムのうちいずれか一つである、請求項１に記載の方法。
【請求項９】
前記セカンダリＲＡＴシステムは、Ｗｉ−Ｆｉシステムであり、前記セカンダリＲＡＴシステムに属する各エンティティは、ＡＰである、請求項１に記載の方法。
【発明の詳細な説明】
【技術分野】
【０００１】
本発明は、無線通信に関し、より詳しくは、Ｃｅｌｌｕｌａｒ−ＷｉＦｉ融合システムにおいて、一般装置から取得した情報を利用してＷｉＦｉネットワークを介してＡｃｃｅｓｓ Ｐｏｉｎｔを登録する方法及び装置に関する。
【背景技術】
【０００２】
ユビキタス環境が到来するにつれて、装置を利用していつでもどこでもシームレスサービスの提供を受けようとする需要が急速に増加している。いつでもどこでもアクセスが容易で効率的な性能を維持することができるように、次世代通信システムは、複数のＲＡＴ(ｒａｄｉｏ ａｃｃｅｓｓ ｔｅｃｈｎｏｌｏｇｙ)を使用することができる。次世代通信システムを構成する複数のＲＡＴとして、３ＧＰＰ(３ｒｄ ｇｅｎｅｒａｔｉｏｎ ｐａｒｔｎｅｒｓｈｉｐ ｐｒｏｊｅｃｔ)ＬＴＥ(ｌｏｎｇ−ｔｅｒｍ ｅｖｏｌｕｔｉｏｎ)、３ＧＰＰ ＬＴＥ−Ａ(ａｄｖａｎｃｅｄ)、ＩＥＥＥ(ｉｎｓｔｉｔｕｔｅ ｏｆ ｅｌｅｃｔｒｉｃａｌ ａｎｄ ｅｌｅｃｔｒｏｎｉｃｓ ｅｎｇｉｎｅｅｒｓ)８０２.１１(Ｗｉ−Ｆｉ)、ＩＥＥＥ８０２.１６(ＷｉＭａｘ、ＷｉＢｒｏ)などを使うことができる。
【０００３】
次世代通信システムは、複数のＲＡＴを融合して使用することができる。次世代通信システムを構成する複数のＲＡＴの各エンティティは、互いに情報を交換することができ、それによって、次世代通信システム内のユーザに最適の通信システムを提供することができる。次世代通信システムを構成する複数のＲＡＴのうち、特定ＲＡＴは、プライマリ(ｐｒｉｍａｒｙ)ＲＡＴシステムとして動作することができ、他の特定ＲＡＴは、セカンダリ(ｓｅｃｏｎｄａｒｙ)ＲＡＴシステムとして動作することができる。即ち、プライマリＲＡＴシステムは、次世代通信システム内のユーザに主に通信システムを提供する役割をし、セカンダリＲＡＴシステムは、プライマリＲＡＴシステムを補助する役割をすることができる。一般的に、カバレッジが比較的広い３ＧＰＰ ＬＴＥ(−Ａ)またはＩＥＥＥ８０２.１６などのセルラシステムがプライマリＲＡＴシステムとなり、カバレッジが比較的狭いＷｉ−ＦｉシステムがセカンダリＲＡＴシステムとなることができる。
【０００４】
複数のＲＡＴで構成される次世代通信システムにおいて、プライマリＲＡＴシステムは、自分のカバレッジ内で動作するセカンダリＲＡＴシステムのエンティティを把握する必要がある。例えば、プライマリＲＡＴシステムがセルラシステムであり、セカンダリＲＡＴシステムがＷｉ−Ｆｉシステムの場合、セルラ基地局またはセルラ制御器などのセルラノードは、自分のカバレッジ内でどのようなＡＰ(ａｃｃｅｓｓ ｐｏｉｎｔ)が動作しているかを把握する必要がある。
【０００５】
したがって、セカンダリＲＡＴシステムエンティティは、管理装置(例えば、管理サーバ、セルラノード、セルラ基地局、セルラ制御器)に自分の情報を知らせることで、プライマリＲＡＴシステムが自分のカバレッジ内で動作するセカンダリＲＡＴシステムエンティティの情報を効率的に取得可能にする最適の通信システムを構成するための方法が要求される
【０００６】
また、セカンダリＲＡＴシステムエンティティは、より効率的にプライマリＲＡＴシステム情報を取得するための方法が要求される。
【発明の概要】
【発明が解決しようとする課題】
【０００７】
本発明の技術的課題は、無線通信システムにおいて、一般装置から取得した情報を利用してＷｉＦｉネットワークを介してＡｃｃｅｓｓ ｐｏｉｎｔを登録する方法及び装置を提供することである。本発明は、セルラシステムとＷｉ−Ｆｉシステムが融合された通信システムにおいて、一般装置から取得した情報を利用してＷｉＦｉネットワークを介してＡｃｃｅｓｓ Ｐｏｉｎｔを登録する方法を提供する。また、本発明は、セルラシステムとＷｉ−Ｆｉシステムが融合された通信システムにおいて、セカンダリＲＡＴシステムエンティティが一般装置とＷｉＦｉネットワークを介してプライマリＲＡＴシステム情報を取得し、取得した情報に基づいてＷｉＦｉネットワークを介して管理装置に自分の情報を知らせるのに最適化する方法を提供する。
【図面の簡単な説明】
【０００８】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような多様な無線通信システムに使われることができる。ＣＤＭＡは、ＵＴＲＡ(ｕｎｉｖｅｒｓａｌ ｔｅｒｒｅｓｔｒｉａｌ ｒａｄｉｏ ａｃｃｅｓｓ)やＣＤＭＡ２０００のような無線技術(ｒａｄｉｏ ｔｅｃｈｎｏｌｏｇｙ)で具現することができる。ＴＤＭＡは、ＧＳＭ(ｇｌｏｂａｌ ｓｙｓｔｅｍ ｆｏｒ ｍｏｂｉｌｅ ｃｏｍｍｕｎｉｃａｔｉｏｎｓ)/ＧＰＲＳ(ｇｅｎｅｒａｌ ｐａｃｋｅｔ ｒａｄｉｏ ｓｅｒｖｉｃｅ)/ＥＤＧＥ(ｅｎｈａｎｃｅｄ ｄａｔａ ｒａｔｅｓ ｆｏｒ ＧＳＭ ｅｖｏｌｕｔｉｏｎ)のような無線技術で具現することができる。ＯＦＤＭＡは、ＩＥＥＥ(ｉｎｓｔｉｔｕｔｅ ｏｆ ｅｌｅｃｔｒｉｃａｌ ａｎｄ ｅｌｅｃｔｒｏｎｉｃｓ ｅｎｇｉｎｅｅｒｓ)８０２.１１(Ｗｉ−Ｆｉ)、ＩＥＥＥ８０２.１６(ＷｉＭＡＸ)、ＩＥＥＥ８０２−２０、Ｅ−ＵＴＲＡ(ｅｖｏｌｖｅｄ ＵＴＲＡ)などのような無線技術で具現することができる。ＩＥＥＥ８０２.１６ｍは、ＩＥＥＥ８０２.１６ｅの進化であり、ＩＥＥＥ８０２.１６ｅに基づくシステムとの後方互換性(ｂａｃｋｗａｒｄ ｃｏｍｐａｔｉｂｉｌｉｔｙ)を提供する。ＵＴＲＡは、ＵＭＴＳ(ｕｎｉｖｅｒｓａｌ ｍｏｂｉｌｅ ｔｅｌｅｃｏｍｍｕｎｉｃａｔｉｏｎｓ ｓｙｓｔｅｍ)の一部である。３ＧＰＰ(３ｒｄ ｇｅｎｅｒａｔｉｏｎ ｐａｒｔｎｅｒｓｈｉｐ ｐｒｏｊｅｃｔ)ＬＴＥ(ｌｏｎｇ ｔｅｒｍ ｅｖｏｌｕｔｉｏｎ)は、Ｅ−ＵＴＲＡ(ｅｖｏｌｖｅｄ−ＵＭＴＳ ｔｅｒｒｅｓｔｒｉａｌ ｒａｄｉｏ ａｃｃｅｓｓ)を使用するＥ−ＵＭＴＳ(ｅｖｏｌｖｅｄ ＵＭＴＳ)の一部であり、ダウンリンクでＯＦＤＭＡを採用し、アップリンクでＳＣ−ＦＤＭＡを採用する。ＬＴＥ−Ａ(ａｄｖａｎｃｅｄ)は、３ＧＰＰ ＬＴＥの進化である。
【０００９】
説明を明確にするために、３ＧＰＰ ＬＴＥ(−Ａ)及びＩＥＥＥ８０２.１１を中心に記述するが、本発明の技術的思想がこれに限定されるものではない。
【００１０】
図１は、セルラシステムを示す。
【００１１】
セルラシステム１０は、少なくとも一つの基地局(ｂａｓｅ ｓｔａｔｉｏｎ、ＢＳ)１１を含む。各基地局１１は、特定の地理的領域(一般的にセルという)１５ａ、１５ｂ、１５ｃに対して通信サービスを提供する。また、セルは、複数の領域(セクタという)に分けることができる。端末(ｕｓｅｒ ｅｑｕｉｐｍｅｎｔ、ＵＥ)１２は、固定されてもよく、移動性を有してもよいし、ＭＳ(ｍｏｂｉｌｅ ｓｔａｔｉｏｎ)、ＭＴ(ｍｏｂｉｌｅ ｔｅｒｍｉｎａｌ)、ＵＴ(ｕｓｅｒ ｔｅｒｍｉｎａｌ)、ＳＳ(ｓｕｂｓｃｒｉｂｅｒ ｓｔａｔｉｏｎ)、無線機器(ｗｉｒｅｌｅｓｓ ｄｅｖｉｃｅ)、ＰＤＡ(ｐｅｒｓｏｎａｌ ｄｉｇｉｔａｌ ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)等、他の用語で呼ばれることもある。基地局１１は、一般的に端末１２と通信する固定局(ｆｉｘｅｄ ｓｔａｔｉｏｎ)を意味し、ｅＮＢ(ｅｖｏｌｖｅｄ−ＮｏｄｅＢ)、ＢＴＳ(ｂａｓｅ ｔｒａｎｓｃｅｉｖｅｒ ｓｙｓｔｅｍ)、アクセスポイント(ａｃｃｅｓｓ ｐｏｉｎｔ)等、他の用語で呼ばれることもある。
【００１２】
端末は、通常的に一つのセルに属し、端末が属するセルをサービングセル(ｓｅｒｖｉｎｇ ｃｅｌｌ)という。サービングセルに対して通信サービスを提供する基地局をサービング基地局(ｓｅｒｖｉｎｇ ＢＳ)という。サービングセルに隣接する他のセルが存在する。サービングセルに隣接する他のセルを隣接セル(ｎｅｉｇｈｂｏｒ ｃｅｌｌ)という。隣接セルに対して通信サービスを提供する基地局を隣接基地局(ｎｅｉｇｈｂｏｒ ＢＳ)という。サービングセル及び隣接セルは、端末を基準として相対的に決定される。
【００１３】
この技術は、ダウンリンク(ＤＬ；ｄｏｗｎｌｉｎｋ)またはアップリンク(ＵＬ；ｕｐｌｉｎｋ)に使うことができる。一般的に、ダウンリンクは、基地局１１から端末１２への通信を意味し、アップリンクは、端末１２から基地局１１への通信を意味する。ダウンリンクにおいて、送信機は基地局１１の一部分であり、受信機は端末１２の一部分である。アップリンクにおいて、送信機は端末１２の一部分であり、受信機は基地局１１の一部分である。
【００１４】
図２は、３ＧＰＰ ＬＴＥにおける無線フレーム(ｒａｄｉｏｆｒａｍｅ)の構造を示す。
【００１５】
これは３ＧＰＰ(３ｒｄ Ｇｅｎｅｒａｔｉｏｎ Ｐａｒｔｎｅｒｓｈｉｐ Ｐｒｏｊｅｃｔ) ＴＳ ３６.２１１ Ｖ８.２.０(２００８−０３)の４節を参照することができる。図２を参照すると、無線フレームは、１０個のサブフレーム(ｓｕｂｆｒａｍｅ)で構成され、一つのサブフレームは、２個のスロット(ｓｌｏｔ)で構成される。無線フレーム内のスロットは、＃０〜＃１９のスロット番号が決められる。ＴＴＩ(ｔｒａｎｓｍｉｓｓｉｏｎ ｔｉｍｅ ｉｎｔｅｒｖａｌ)は、データ送信のための基本スケジューリング単位である。３ＧＰＰ ＬＴＥにおいて、一つのＴＴＩは、一つのサブフレームの送信にかかる時間である。一つの無線フレームの長さは１０ｍｓであり、一つのサブフレームの長さは１ｍｓであり、一つのスロットの長さは０.５ｍｓである。
【００１６】
一つのスロットは、時間領域(ｔｉｍｅ ｄｏｍａｉｎ)で複数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルを含み、周波数領域で複数の副搬送波を含む。ＯＦＤＭシンボルは、３ＧＰＰ ＬＴＥがダウンリンクでＯＦＤＭＡを使用するため、一つのシンボル区間(ｓｙｍｂｏｌ ｐｅｒｉｏｄ)を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック(ＲＢ；ｒｅｓｏｕｒｃｅ ｂｌｏｃｋ)は、リソース割当単位であり、一つのスロットで複数の連続する副搬送波を含む。前記無線フレームの構造は一例に過ぎない。したがって、無線フレームに含まれるサブフレームの個数やサブフレームに含まれるスロットの個数、またはスロットに含まれるＯＦＤＭシンボルの個数は、多様に変更することができる。
【００１７】
３ＧＰＰ ＬＴＥは、ノーマル(ｎｏｒｍａｌ)サイクリックプレフィックス(ＣＰ；ｃｙｃｌｉｃ ｐｒｅｆｉｘ)において、一つのスロットは、７個のＯＦＤＭシンボルを含み、拡張(ｅｘｔｅｎｄｅｄ)ＣＰにおいて、一つのスロットは、６個のＯＦＤＭシンボルを含むと定義している。
【００１８】
図３は、無線ＬＡＮ(ＷＬＡＮ；ｗｉｒｅｌｅｓｓ ｌｏｃａｌ ａｒｅａ ｎｅｔｗｏｒｋ)システムを示す。
【００１９】
ＷＬＡＮシステムは、Ｗｉ−Ｆｉシステムとも呼ばれる。図３を参照すると、ＷＬＡＮシステムは、一つのＡＰ(ａｃｃｅｓｓ ｐｏｉｎｔ)２０及び複数のステーション(ＳＴＡ；ｓｔａｔｉｏｎ)３１、３２、３３、３４、４０を含む。ＡＰ２０は、各ＳＴＡ３１、３２、３３、３４、４０と各々連結されて通信できる。ＷＬＡＮシステムは、一つまたはそれ以上の基本サービスセット(ＢＳＳ；ｂａｓｉｃ ｓｅｒｖｉｃｅ ｓｅｔ)を含む。ＢＳＳは、成功裏に同期化を行って互いに通信できるＳＴＡの集合であり、特定領域を意味するものではない。
【００２０】
インフラストラクチャ(ｉｎｆｒａｓｔｒｕｃｔｕｒｅ)ＢＳＳは、一つまたはそれ以上の非ＡＰステーション(ｎｏｎ−ＡＰ ＳＴＡ)、分散サービス(ｄｉｓｔｒｉｂｕｔｉｏｎ ｓｅｒｖｉｃｅ)を提供するＡＰ(ａｃｃｅｓｓ ｐｏｉｎｔ)、及び複数のＡＰを連結させる分散システム(ＤＳ；ｄｉｓｔｒｉｂｕｔｉｏｎ ｓｙｓｔｅｍ)を含む。インフラストラクチャＢＳＳでは、ＡＰがＢＳＳの非ＡＰ ＳＴＡを管理する。したがって、図３のＷＬＡＮシステムは、インフラストラクチャＢＳＳを含むということができる。それに対し、独立ＢＳＳ(ＩＢＳＳ；ｉｎｄｅｐｅｎｄｅｎｔ ＢＳＳ)は、アドホック(ａｄ−ｈｏｃ)モードに動作するＢＳＳである。ＩＢＳＳは、ＡＰを含まないため、中央で管理機能を遂行するエンティティ(ｃｅｎｔｒａｌｉｚｅｄ ｍａｎａｇｅｍｅｎｔ ｅｎｔｉｔｙ)がない。即ち、ＩＢＳＳでは、非ＡＰ ＳＴＡが分散された方式(ｄｉｓｔｒｉｂｕｔｅｄ ｍａｎｎｅｒ)に管理される。ＩＢＳＳでは、全てのＳＴＡが移動ＳＴＡからなることができ、分散システムへの接続が許容されなくて自己完備的ネットワーク(ｓｅｌｆ−ｃｏｎｔａｉｎｅｄ ｎｅｔｗｏｒｋ)を構築する。
【００２１】
ＳＴＡは、ＩＥＥＥ８０２.１１標準の規定に従うＭＡＣ(ｍｅｄｉａ ａｃｃｅｓｓ ｃｏｎｔｒｏｌ)と無線媒体に対する物理階層(ｐｈｙｓｉｃａｌ ｌａｙｅｒ)インターフェースを含む任意の機能媒体であり、より広い意味で、ＡＰと非ＡＰステーションを両方とも含む。
【００２２】
非ＡＰ ＳＴＡは、ＡＰでないＳＴＡであり、非ＡＰ ＳＴＡは、移動端末(ｍｏｂｉｌｅ ｔｅｒｍｉｎａｌ)、無線機器(ｗｉｒｅｌｅｓｓ ｄｅｖｉｃｅ)、無線送受信ユニット(ＷＴＲＵ；ｗｉｒｅｌｅｓｓ ｔｒａｎｓｍｉｔ/ｒｅｃｅｉｖｅ ｕｎｉｔ)、ユーザ装備(ＵＥ；ｕｓｅｒ ｅｑｕｉｐｍｅｎｔ)、移動局(ＭＳ；ｍｏｂｉｌｅ ｓｔａｔｉｏｎ)、移動加入者ユニット(ｍｏｂｉｌｅ ｓｕｂｓｃｒｉｂｅｒ ｕｎｉｔ)または単純にユーザ(ｕｓｅｒ)などの他の名称で呼ばれることもある。以下、説明の便宜のために、非ＡＰ ＳＴＡをＳＴＡという。
【００２３】
ＡＰは、該当ＡＰに結合された(ａｓｓｏｃｉａｔｅｄ)ＳＴＡのために、無線媒体を経由して分散システムに対する接続を提供する機能エンティティである。ＡＰを含むインフラストラクチャＢＳＳにおいて、ＳＴＡ間の通信は、ＡＰを経由して行われることが原則であるが、直接リンク(ｄｉｒｅｃｔ ｌｉｎｋ)が設定された場合、ＳＴＡ間でも直接通信が可能である。ＡＰは、集中制御器(ｃｅｎｔｒａｌ ｃｏｎｔｒｏｌｌｅｒ)、基地局(ＢＳ；ｂａｓｅ ｓｔａｔｉｏｎ)、ＮｏｄｅＢ、ＢＴＳ(ｂａｓｅ ｔｒａｎｓｃｅｉｖｅｒ ｓｙｓｔｅｍ)、またはサイト制御器などと呼ばれることもある。
【００２４】
複数のインフラストラクチャＢＳＳは、分散システムを介して相互連結されることができる。分散システムを介して連結された複数のＢＳＳを拡張サービスセット(ＥＳＳ；ｅｘｔｅｎｄｅｄ ｓｅｒｖｉｃｅ ｓｅｔ)という。ＥＳＳに含まれるＡＰ及び/またはＳＴＡは、互いに通信することができ、同じＥＳＳにおいて、ＳＴＡは、シームレス通信しながら一つのＢＳＳから他のＢＳＳに移動することができる。
【００２５】
図４は、セルラシステムとＷｉ−Ｆｉシステムが融合された通信システムのシナリオの一例を示す。
【００２６】
図４において、セルラシステムは、融合通信システムのプライマリＲＡＴシステムとして動作し、Ｗｉ−Ｆｉシステムは、融合通信システムのセカンダリＲＡＴシステムとして動作すると仮定する。また、図４のセルラシステムは、３ＧＰＰ ＬＴＥ(−Ａ)である。以下の説明では、便宜上、融合通信システムのプライマリＲＡＴシステムは３ＧＰＰ ＬＴＥ(−Ａ)であり、融合通信システムのセカンダリＲＡＴシステムはＩＥＥＥ８０２.１１、即ち、Ｗｉ−Ｆｉシステムであると仮定する。しかし、以下で説明する本発明の実施例は、これに限定されるものではない。
【００２７】
図４を参照すると、セルラ基地局５０のカバレッジ内に複数の一般装置６１、６２、６３、６４、６５が存在する。各一般装置６１、６２、６３、６４、６５は、セルラシステムの端末である。セルラ基地局５０は、セルラ無線インターフェースを介して各一般装置６１、６２、６３、６４、６５と通信できる。例えば、セルラ基地局５０は、各一般装置６１、６２、６３、６４、６５と音声電話通信を実行し、または各一般装置６１、６２、６３、６４、６５のＷｉ−Ｆｉシステムに対する接続を制御することができる。
【００２８】
セルラ基地局５０は、セルラシステムインターフェースを介してＳ−ＧＷ(ｓｅｒｖｉｎｇ ｇａｔｅｗａｙ)/ＭＭＥ(ｍｏｂｉｌｉｔｙ ｍａｎａｇｅｍｅｎｔ ｅｎｔｉｔｙ)７０と連結される。ＭＭＥは、端末の接続情報や端末の能力に対する情報を有しており、このような情報は、端末の移動性管理に主に使うことができる。ＭＭＥは、制御平面の機能を担当する。Ｓ−ＧＷは、Ｅ−ＵＴＲＡＮを終端点として有するゲートウェイである。Ｓ−ＧＷは、ユーザ平面の機能を担当する。また、Ｓ−ＧＷ/ＭＭＥ７０は、セルラシステムインターフェースを介してＰ−ＧＷ(ＰＤＮ(ｐａｃｋｅｔ ｄａｔａ ｎｅｔｗｏｒｋ) ｇａｔｅｗａｙ)７１及びホーム加入者サーバ(ＨＳＳ；ｈｏｍｅ ｓｕｂｓｃｒｉｂｅｒ ｓｅｒｖｅｒ)７２と連結される。ＰＤＮ−ＧＷは、ＰＤＮを終端点として有するゲートウェイである。
【００２９】
また、Ｐ−ＧＷ７１及びＨＳＳ７２は、セルラシステムインターフェースを介して３ＧＰＰ ＡＡＡ(ａｃｃｅｓｓ ａｕｔｈｅｎｔｉｃａｔｉｏｎ ａｕｔｈｏｒｉｚａｔｉｏｎ)サーバ７３と連結される。Ｐ−ＧＷ７１及び３ＧＰＰ ＡＡＡサーバ７３は、セルラシステムインターフェースを介してｅ−ＰＤＧ(ｅｖｏｌｖｅｄ ｐａｃｋｅｔ ｄａｔａ ｇａｔｅｗａｙ)７４と連結されることができる。ｅ−ＰＤＧ７４は、認証されていない非３ＧＰＰ接続でのみ含うことができる。ＷＡＧ７５は、Ｗｉ−Ｆｉシステムにおいて、Ｐ−ＧＷの役割を担当することができる。
【００３０】
一方、セルラ基地局５０のカバレッジ内に複数のＡＰ８１、８２、８３が存在できる。各ＡＰ８１、８２、８３は、各々、セルラ基地局５０のカバレッジより小さいカバレッジを有することができる。各ＡＰ８１、８２、８３は、Ｗｉ−Ｆｉ無線インターフェースを介して自分のカバレッジ内の一般装置６１、６２、６３と通信できる。即ち、一般装置６１、６２、６３は、セルラ基地局５０及び/またはＡＰ８１、８２、８３と通信できる。一般装置６１、６２、６３の通信方法は、下記の通りである。
【００３１】
１)セルラ/Ｗｉ−Ｆｉ同時無線送信：一般装置６１は、セルラ無線インターフェースを介してセルラ基地局５０と通信する同時に、Ｗｉ−Ｆｉ無線インターフェースを介してＡＰ８１と高速データ通信を実行することができる。
【００３２】
２)セルラ/Ｗｉ−Ｆｉユーザ平面自動転換：一般装置６２は、ユーザ平面自動転換によりセルラ基地局５０またはＡＰ８２のうちいずれか一つと通信できる。このとき、制御平面は、セルラシステムとＷｉ−Ｆｉシステムの両方ともに存在し、またはセルラシステムまたはＷｉ−Ｆｉシステムの片方にのみ存在できる。
【００３３】
３)Ｗｉ−Ｆｉベースのセルラリンク制御メカニズム：ＡＰ８３は、セルラ一般装置６３に対してネットワークのページングまたは位置登録などのセルラリンク制御メカニズムを実行することができる。一般装置６３は、セルラ基地局５０と直接連結されずに、ＡＰ８３を介して間接的にセルラ基地局５０と通信できる。
【００３４】
４)端末協力送信：ソース装置として動作する一般装置６４は、セルラ無線インターフェースを介してセルラ基地局５０と直接的に通信し、または協力装置として動作する一般装置６５を介してセルラ基地局５０と間接的に通信できる。即ち、協力装置６５は、ソース装置６４が自分を介して間接的にセルラ基地局５０と通信できるようにソース装置６４をサポートすることができる。ソース装置６４と協力装置６５は、Ｗｉ−Ｆｉ無線インターフェースを介して通信する。
【００３５】
各ＡＰ８１、８２、８３は、Ｗｉ−Ｆｉシステムインターフェースを介してＷＡＧ７５と連結される。
【００３６】
以下、本発明によって一般装置を利用したプライマリＲＡＴシステム情報を取得する手順に対して説明する。
【００３７】
図５は、本発明によって、プライマリＲＡＴシステムにおいて、一般装置が活性化状態(ａｃｔｉｖｅ ｍｏｄｅ)の場合、一般装置を利用したプライマリＲＡＴシステム情報を取得する手順の一例を示す。
【００３８】
融合通信システムにおいて、セルラシステムは、プライマリＲＡＴシステムであり、Ｗｉ−Ｆｉシステムは、セカンダリＲＡＴシステムである。前述したように、前記セルラシステムは、自分のカバレッジ内にどのようなＷｉ−Ｆｉシステムエンティティが動作しているかを把握する必要がある。それによって、Ｗｉ−Ｆｉシステムエンティティは、管理サーバまたはセルラノード(例えば、セルラ基地局、セルラ制御器)などの管理装置に自分の情報を知らせることができる。ここで、前記セカンダリＲＡＴシステムエンティティは、前記プライマリＲＡＴシステム情報を取得する必要があり、本発明では、前記セカンダリＲＡＴシステムエンティティがＷｉＦｉネットワークを介して一般装置からプライマリＲＡＴシステム情報を取得し、取得した情報に基づいてＷｉＦｉネットワークを介して管理装置に自分の情報を知らせる手順を最適化することができる。
【００３９】
以上の説明において、管理サーバは、ＡＮＱＰ(ａｃｃｅｓｓ ｎｅｔｗｏｒｋ ｑｕｅｒｙ ｐｒｏｔｏｃｏｌ)を利用したＧＡＳ(ｇｅｎｅｒｉｃ ａｄｖｅｒｔｉｓｅｍｅｎｔ ｓｅｒｖｉｃｅ)を提供する装置である。ＡＮＱＰは、ＧＡＳ公用アクションフレーム(ｐｕｂｌｉｃ ａｃｔｉｏｎ ｆｒａｍｅ)により伝達される接続ネットワーク情報回収(ｒｅｔｒｉｅｖａｌ)のためのクエリプロトコルである。ＧＡＳは、ＳＴＡが希望するネットワークサービスと関連した情報の有効性(ａｖａｉｌａｂｉｌｉｔｙ)をさがすことができるようにする機能を提供する。希望するネットワークサービスと関連した情報は、ＩＢＳＳ、ローカル接続サービス、可能な加入サービスプロバイダ(ＳＳＰ；ｓｕｂｓｃｒｉｐｔｉｏｎ ｓｅｒｖｉｃｅ ｐｒｏｖｉｄｅｒ)及び/またはＳＳＰＮ(ｓｕｂｓｃｒｉｐｔｉｏｎ ｓｅｒｖｉｃｅ ｐｒｏｖｉｄｅｒ ｎｅｔｗｏｒｋ)または他の外部ネットワークで提供されるようなサービスに対する情報である。ＧＡＳは、ＩＥＥＥ８０２.１１ネットワーク上にネットワークサービスの情報を広告するためのジェネリックコンテナ(ｇｅｎｅｒｉｃ ｃｏｎｔａｉｎｅｒ)を使用することができる。公用アクションフレームがこのような情報を伝達するために使われることができる。インフラストラクチャＢＳＳでは、ＳＴＡが無線ＬＡＮシステムと連結される以前、ＡＰを越えてＳＳＰＮまたは他の外部ネットワークにより提供されるネットワークサービスに対する情報を要求する必要がある。情報の交換は、ＢＳＳに連結された以後に実行されることができる。
【００４０】
以上の説明において、管理サーバは、ＡＮＤＳＦ(ａｃｃｅｓｓ ｎｅｔｗｏｒｋ ｄｉｓｃｏｖｅｒｙ ａｎｄ ｓｅｌｅｃｔｉｏｎ ｆｕｎｃｔｉｏｎ)を提供する装置である。
【００４１】
以下の説明において、プライマリＲＡＴシステムをセルラシステムのうち３ＧＰＰ ＬＴＥ(−Ａ)と仮定し、セカンダリＲＡＴシステムをＷｉ−Ｆｉシステムと仮定して記述したが、本発明は、これに限定されるものではない。また、セカンダリＲＡＴシステムエンティティは、Ｗｉ−ＦｉシステムのＡＰであると仮定して記述したが、本発明は、これに限定されるものではない。
【００４２】
図５は、プライマリＲＡＴシステムにおいて、一般装置が活性化状態(ａｃｔｉｖｅ ｍｏｄｅ)の場合、一般装置を利用したプライマリＲＡＴシステム情報を取得する方法を示す。即ち、プライマリＲＡＴシステム(例えば、セルラシステム)において、一般装置が活性化状態の場合、プライマリＲＡＴシステム情報を取得する方法に対して示す。
【００４３】
図６は、本発明によって、プライマリＲＡＴシステムにおいて、一般装置がアイドル状態(Ｉｄｌｅ ｍｏｄｅ)の場合、一般装置を利用したプライマリＲＡＴシステム情報を取得する手順の一例を示す。
【００４４】
即ち、図６は、プライマリＲＡＴシステムにおいて、一般装置がアイドル状態(Ｉｄｌｅ ｍｏｄｅ)の場合、一般装置を利用したプライマリＲＡＴシステム情報を取得する方法を示す。即ち、プライマリＲＡＴシステム(例えば、セルラシステム)において、一般装置がアイドル状態の場合、プライマリＲＡＴシステム情報を取得する方法に対して示す。
【００４５】
以下、本発明によって、一般装置を利用したプライマリＲＡＴシステム情報を取得する手順を示す図５及び図６に示す各ステップに対して詳細に説明する。
【００４６】
１ステップとして、セカンダリＲＡＴシステムエンティティ(例えば、Ａｃｃｅｓｓ Ｐｏｉｎｔ；ＡＰ)は、ＷｉＦｉ ａｉｒ ｌｉｎｋを介してプライマリＲＡＴシステム(例えば、セルラシステム)情報を一般装置に要求する。ここで、前記プライマリＲＡＴシステム情報要求は、特定要求メッセージを一般装置に送信して実行することができ、前記特定要求メッセージは、Ａｄｖａｎｃｅｄ ｐｒｉｍａｒｙ ＲＡＴ Ｓｙｓｔｅｍ ｉｎｆｏｒｍａｔｉｏｎ Ｒｅｑｕｅｓｔ(ＡＲＳＩ−ＲＥＱ)メッセージという。ここで、前記ＡＰは、自分とＷｉＦｉ ａｉｒ ｌｉｎｋされている全ての一般装置の中から１個以上の一般装置を選択し、これらに前記要求メッセージを送信することができる。複数個の一般装置を選択して前記要求メッセージを送信する理由は、Ｈｉｅｒａｒｃｈｉｃａｌ ｎｅｔｗｏｒｋ形態を考慮しなければならないためである。ここで、前記プライマリＲＡＴシステム情報要求メッセージの管理フレーム(ｍａｎａｇｅｍｅｎｔ ｆｒａｍｅ)は、既存ＩＥＥＥ８０２.１１管理ＭＡＣフレームの形態と同じ構造を有することができる。
【００４７】
以下、ＩＥＥＥ８０２.１１管理ＭＡＣフレームに対して説明する。
【００４８】
図７は、無線ＬＡＮシステムで提供されるＭＡＣフレームのフォーマットを示すブロック図である。
【００４９】
図７を参照すると、ＭＡＣフレームは、フレーム制御(ｆｒａｍｅ ｃｏｎｔｒｏｌ)フィールド、持続時間(ｄｕｒａｔｉｏｎ)フィールド、アドレス１(ａｄｄｒｅｓｓ １)フィールド、アドレス２(ａｄｄｒｅｓｓ ２)フィールド、アドレス３(ａｄｄｒｅｓｓ ３)フィールド、シーケンス制御(ｓｅｑｕｅｎｃｅ ｃｏｎｔｒｏｌ)フィールド、ＨＴ制御(ＨＴ ｃｏｎｔｒｏｌ)フィールド、フレームボディ(Ｆｒａｍｅ ｂｏｄｙ)及びＦＣＳ(Ｆｒａｍｅ Ｃｈｅｃｋ Ｓｅｑｕｅｎｃｅ)フィールドを含むことができる。
【００５０】
ここで、前記フレーム制御フィールドは、フレーム特性に対する情報を含む。前記持続時間フィールドは、フレームのタイプ及びサブタイプによって異なる値を有するように具現されることができる。前記アドレス１フィールド乃至前記アドレス３フィールドは、ＢＳＳＩＤ(ｂａｓｉｃ ｓｅｒｖｉｃｅ ｓｅｔ ｉｄｅｎｔｉｆｉｅｒ)を指示するＢＳＳＩＤフィールド、ソースアドレス(ｓｏｕｒｃｅ ａｄｄｒｅｓｓ；ＳＡ)を指示するＳＡフィールド、宛先アドレス(ｄｅｓｔｉｎａｔｉｏｎ ａｄｄｒｅｓｓ；ＤＡ)を指示するＤＡフィールド、送信ＳＴＡアドレスを指示するＴＡ(Ｔｒａｎｓｍｉｔｔｉｎｇ Ａｄｄｒｅｓｓ)フィールド、及び受信ＳＴＡアドレスを指示するＲＡ(Ｒｅｃｅｉｖｉｎｇ Ａｄｄｒｅｓｓ)フィールドのうち特定フィールドを具現するように設定されることができる。前記シーケンス制御フィールドは、シーケンスナンバ(ｓｅｑｕｅｎｃｅ ｎｕｍｂｅｒ)及びフラグメントナンバ(ｆｒａｇｍｅｎｔ ｎｕｍｂｅｒ)を含むように設定される。シーケンスナンバは、前記フレームに割り当てられたシーケンスナンバを指示することができる。フラグメントナンバは、前記フレームの各フラグメントのナンバを指示することができる。前記ＨＴ制御フィールドは、高処理率(Ｈｉｇｈ Ｔｈｒｏｕｇｈｐｕｔ；ＨＴ)送受信技法及び/または超高処理率(Ｖｅｒｙ Ｈｉｇｈ Ｔｈｒｏｕｇｈｐｕｔ；ＶＨＴ)送受信技法と関連した制御情報を含む。前記フレームボディフィールドは、送信ＳＴＡ及び/またはＡＰが送信しようとするデータを含むことができる。前記ＦＣＳフィールドは、ＣＲＣのためのビットシーケンスを含む。
【００５１】
以下、前記フレーム制御フィールドのより詳細な構造に対して説明する。
【００５２】
図７に示すように、フレーム制御フィールドは、プロトコルバージョン(ｐｒｏｔｏｃｏｌ ｖｅｒｓｉｏｎ)サブフィールド、タイプサブフィールド、サブタイプサブフィールド、Ｔｏ ＤＳサブフィールド、Ｆｒｏｍ ＤＳサブフィールド、モアフラグメント(Ｍｏｒｅ Ｆｒａｇｍｅｎｔ)サブフィールド、リトライ(Ｒｅｔｒｙ)サブフィールド、パワ管理(Ｐｏｗｅｒ Ｍａｎａｇｅｍｅｎｔ)サブフィールド、モアデータ(Ｍｏｒｅ Ｄａｔａ)サブフィールド、保護されたフレーム(Ｐｒｏｔｅｃｔｅｄ Ｆｒａｍｅ)サブフィールド、及び順序(Ｏｒｄｅｒ)サブフィールドを含む。前記プロトコルバージョンサブフィールドは、該当ＭＡＣフレームに適用された無線ＬＡＮプロトコルのバージョンを指示するように設定することができる。前記タイプサブフィールド及びサブタイプサブフィールドは、該当フレーム制御フィールドを含むフレームの機能を識別する情報を指示するように設定することができる。前記Ｔｏ ＤＳサブフィールド及びＦｒｏｍ ＤＳサブフィールドは、多様な異なる値を使用して多様な種類のデータフレーム、管理フレーム、制御フレームを示すことができる。前記モアフラグメントサブフィールドは、該当ＭＡＣフレームの以後に送信されるフラグメントがあるかどうかを指示するように設定されることができる。前記リトライサブフィールドは、該当ＭＡＣフレームが以前フレームの再送信にしたがうかどうかを指示するように設定することができる。前記パワ管理サブフィールドは、ＳＴＡのパワ管理モードを指示するように設定することができる。前記モアデータサブフィールドは、追加的に送信されるフレームが存在するかどうかを指示するように設定することができる。前記保護されたフレーム(Ｐｒｏｔｅｃｔｅｄ Ｆｒａｍｅ)サブフィールドは、フレームボディ部が暗号化カプセル化アルゴリズムにより処理されたかどうかを指示する情報を含むように設定することができる。
【００５３】
前述したように、プライマリＲＡＴシステム情報要求メッセージの管理フレーム(ｍａｎａｇｅｍｅｎｔ ｆｒａｍｅ)は、前記ＩＥＥＥ８０２.１１管理ＭＡＣフレームの形態と同じ構造を有することができる。例えば、前記ＩＥＥＥ８０２.１１管理ＭＡＣフレームのフレーム制御フィールド内にタイプサブフィールド及びサブタイプサブフィールドの値が前記プライマリＲＡＴシステム情報要求メッセージ(例えば、ＡＲＳＩ−ＲＥＱメッセージ)であることを意味するように、表１で下記のように定義することができる。
【００５４】
【表１】
2016502342.tif 000003
【００５５】
−Ｔｙｐｅ ０ｂ１１：Ｉｎｔｅｒ−ＲＡＴ ｗｏｒｋｉｎｇ ｍａｎａｇｅｍｅｎｔ
【００５６】
−Ｓｕｂｔｙｐｅ ０ｂ００００：Ｐｒｉｍａｒｙ ＲＡＴ Ｓｙｓｔｅｍ ｉｎｆｏｒｍａｔｉｏｎ Ｒｅｑｕｅｓｔ
【００５７】
即ち、前記タイプサブフィールド及びサブタイプサブフィールド内のｒｅｓｅｒｖｅｄされたビット値を使用して前記プライマリＲＡＴシステム情報要求メッセージ(例えば、ＡＲＳＩ−ＲＥＱメッセージ)であることを意味するように示すことができる。
【００５８】
また、前記ＩＥＥＥ８０２.１１管理ＭＡＣフレームのフレームボディ(Ｆｒａｍｅ Ｂｏｄｙ)フィールド内に多様な異なるパラメータを含ませて前記プライマリＲＡＴシステム情報要求メッセージ(例えば、ＡＲＳＩ−ＲＥＱメッセージ)であることを意味するように示すこともできる。即ち、前記フレームボディフィールド内に下記のような動作コード(Ａｃｔｉｏｎ ｃｏｄｅ)が含まれることができる。
【００５９】
−動作コード(Ａｃｔｉｏｎ ｃｏｄｅ)
【００６０】
Ａｃｔｉｏｎ ｃｏｄｅ１：プライマリＲＡＴシステムにおいて、一般装置の状態が“ａｃｔｉｖｅ ｍｏｄｅ”である場合にのみ該当情報要求を受け入れる。
【００６１】
Ａｃｔｉｏｎ ｃｏｄｅ２：プライマリＲＡＴシステムにおいて、一般装置の状態と関係なしで該当情報要求を受け入れる。
【００６２】
Ａｃｔｉｏｎ ｃｏｄｅ３：プライマリＲＡＴシステムのネットワーク(例えば、ＰＬＭＮ(Ｐｕｂｌｉｃ Ｌａｎｄ Ｍｏｂｉｌｅ Ｎｅｔｗｏｒｋ)の識別子情報を要求する。
【００６３】
Ａｃｔｉｏｎ ｃｏｄｅ４：プライマリＲＡＴシステムのＢＳ Ｃｏｎｔｒｏｌｌｅｒ(例えば、ＭＭＥ(Ｍｏｂｉｌｉｔｙ Ｍａｎａｇｅｍｅｎｔ Ｅｎｔｉｔｙ)の識別子情報を要求する。
【００６４】
Ａｃｔｉｏｎ ｃｏｄｅ５：プライマリＲＡＴシステムのＣｅｌｌまたはＢＳ(Ｂａｓｅ ｓｔａｔｉｏｎ)の識別子情報を要求する。ここで、前記ＢＳは、Ｍａｃｒｏ ＢＳ、Ｆｅｍｔｏ ＢＳ、Ｐｉｃｏ ＢＳ等、全ての種類のＢＳを含む。
【００６５】
Ａｃｔｉｏｎ ｃｏｄｅ６：一般装置の位置情報(例えば、座標)を要求する。
【００６６】
前記動作コード(Ａｃｔｉｏｎ ｃｏｄｅ)は、ビットマップ(ｂｉｔｍａｐ)形態に構成することもでき、前記ＡＰは、これを使用して複数のＡｃｔｉｏｎを一般装置に要求することもできる。
【００６７】
前記ＡＰがＷｉＦｉ ａｉｒ ｌｉｎｋを介してプライマリＲＡＴシステム情報要求メッセージを一般装置に送信した後、２ステップとして、前記プライマリＲＡＴシステム情報要求メッセージ(例えば、ＡＲＳＩ−ＲＥＱメッセージ)を受信した一般装置は、プライマリＲＡＴシステムでの状態による動作を実行した後、前記プライマリＲＡＴシステム情報要求メッセージに対する応答メッセージを送信する。ここで、前記プライマリＲＡＴシステム情報要求メッセージに対する応答メッセージは、Ａｄｖａｎｃｅｄ ｐｒｉｍａｒｙ ＲＡＴ Ｓｙｓｔｅｍ ｉｎｆｏｒｍａｔｉｏｎ Ｒｅｓｐｏｎｓｅ(ＡＲＳＩ−ＲＳＰ)メッセージという。ここで、前記応答メッセージの管理フレーム(ｍａｎａｇｅｍｅｎｔ ｆｒａｍｅ)は、既存ＩＥＥＥ８０２.１１管理ＭＡＣフレームの形態と同じ構造を有することができる。
【００６８】
例えば、前記ＩＥＥＥ８０２.１１管理ＭＡＣフレームのフレーム制御フィールド内のタイプサブフィールド及びサブタイプサブフィールドの値が前記プライマリＲＡＴシステム情報要求に対する応答メッセージ(例えば、ＡＲＳＩ−ＲＳＰメッセージ)であることを意味するように、前記表１で下記のように定義することができる。
【００６９】
−Ｔｙｐｅ ０ｂ１１：Ｉｎｔｅｒ−ＲＡＴ ｗｏｒｋｉｎｇ ｍａｎａｇｅｍｅｎｔ
【００７０】
−Ｓｕｂｔｙｐｅ ０ｂ０００１：Ｐｒｉｍａｒｙ ＲＡＴ Ｓｙｓｔｅｍ ｉｎｆｏｒｍａｔｉｏｎ Ｒｅｓｐｏｎｓｅ
【００７１】
即ち、前記タイプサブフィールド及びサブタイプサブフィールド内のｒｅｓｅｒｖｅｄされたビット値を使用して前記プライマリＲＡＴシステム情報要求に対する応答メッセージ(例えば、ＡＲＳＩ−ＲＳＰメッセージ)であることを意味するように示すことができる。
【００７２】
また、前記ＩＥＥＥ８０２.１１管理ＭＡＣフレームのフレームボディ(Ｆｒａｍｅ Ｂｏｄｙ)フィールド内に多様の種類の異なるパラメータを含ませて前記プライマリＲＡＴシステム情報要求メッセージに対する応答メッセージ(例えば、ＡＲＳＩ−ＲＳＰメッセージ)であることを意味するように示すことができる。
【００７３】
例えば、前記フレームボディフィールド内に下記のようなパラメータが含まれることができる。
【００７４】
−Ｒｅｓｕｌｔ：ＡＰの要求Ａｃｔｉｏｎに対する結果を示すパラメータ(例えば、Ａｃｃｅｐｔ/Ｒｅｊｅｃｔ)
【００７５】
−Ｒｅａｓｏｎ：Ｒｅｓｕｌｔに対する理由を示すパラメータ(例えば、Ｎｏｔ ｓｕｐｐｏｒｔ/Ｎｏｔ ｓｕｉｔａｂｌｅ)
【００７６】
前記ＲｅｓｕｌｔがＡｃｃｅｐｔの場合、該当パラメータは、省略され、または無意味な値に設定することができる。
【００７７】
前記Ｎｏｔ ｓｕｐｐｏｒｔは、プライマリＲＡＴシステムまたは一般装置が該当Ａｃｔｉｏｎに対する結果を他のシステムに伝達することを許容しないため、一般装置がＡＰの要求を実行することができないことを意味する。
【００７８】
前記Ｎｏｔ ｓｕｉｔａｂｌｅは、プライマリＲＡＴシステムとの状態が適した状態(例えば、“ａｃｔｉｖｅ ｍｏｄｅ”)でないため、一般装置がＡＰの要求を実行することができないことを意味する。
【００７９】
−Ｏｕｔｐｕｔを含むかどうか：各Ａｃｔｉｏｎに対するｏｕｔｐｕｔを含むかどうか
【００８０】
−Ｏｕｔｐｕｔ：ＡＰの要求Ａｃｔｉｏｎに対する結果
【００８１】
Ａｃｔｉｏｎ ｃｏｄｅ３の場合、プライマリＲＡＴシステムのネットワーク(例えば、ＰＬＭＮ(Ｐｕｂｌｉｃ Ｌａｎｄ Ｍｏｂｉｌｅ Ｎｅｔｗｏｒｋ))の識別子情報
【００８２】
Ａｃｔｉｏｎ ｃｏｄｅ４の場合、プライマリＲＡＴシステムのＢＳ Ｃｏｎｔｒｏｌｌｅｒ(例えば、Ｍｏｂｉｌｉｔｙ Ｍａｎａｇｅｍｅｎｔ Ｅｎｔｉｔｙ)の識別子情報
【００８３】
Ａｃｔｉｏｎ ｃｏｄｅ５の場合、プライマリＲＡＴシステムのＣｅｌｌまたはＢＳ(Ｂａｓｅ ｓｔａｔｉｏｎ−Ｍａｃｒｏ ＢＳ、Ｆｅｍｔｏ ＢＳ、Ｐｉｃｏ ＢＳ等、全ての種類のＢＳ含む)の識別子情報
【００８４】
Ａｃｔｉｏｎ ｃｏｄｅ６の場合、一般装置の位置情報(例えば、座標)
【００８５】
次に、プライマリＲＡＴシステムでの一般装置の状態が“活性化状態(Ａｃｔｉｖｅ ｍｏｄｅ)”の場合、前記２ステップの動作に対して詳細に説明する。
【００８６】
まず、プライマリＲＡＴシステムまたは一般装置が該当Ａｃｔｉｏｎに対する結果を他のシステムに伝達することを許容すると仮定し、前記一般装置の状態が活性化状態の場合、一般装置は、プライマリＲＡＴシステム情報要求メッセージ(例えば、ＡＲＳＩ−ＲＥＱメッセージ)内のＡｃｔｉｏｎ ｃｏｄｅ１または２の設定値に関係なしで残りの設定されたＡｃｔｉｏｎを実行することができる。
【００８７】
Ａｃｔｉｏｎ ｃｏｄｅ３の場合、ネットワークの識別子情報を前記応答メッセージ(ＡＲＳＩ−ＲＳＰ)フレーム内のｏｕｔｐｕｔパラメータで構成することができる。一例として、一般装置は、自分のＩＭＳＩ(Ｉｎｔｅｒｎａｔｉｏｎａｌ Ｍｏｂｉｌｅ Ｓｕｂｓｃｒｉｂｅｒ Ｉｄｅｎｔｉｔｙ)または既に取得したＧＵＴＩ(Ｇｌｏｂａｌｌｙ Ｕｎｉｑｕｅ Ｔｅｍｐｏｒａｒｙ Ｉｄｅｎｔｉｆｉｅｒ)内のＭＣＣ(Ｍｏｂｉｌｅ Ｃｏｕｎｔｒｙ Ｃｏｄｅ)とＭＮＣ(Ｍｏｂｉｌｅ Ｎｅｔｗｏｒｋ Ｃｏｄｅ)を抽出することができ、ＬＴＥシステムでの一般装置は、ＧＵＴＩをＡｔｔａｃｈとＴＡＵ(Ｔｒａｃｋｉｎｇ Ａｒｅａ Ｕｐｄａｔｅ)過程で取得することができる。
【００８８】
図８は、本発明のＩＭＳＩ(Ｉｎｔｅｒｎａｔｉｏｎａｌ Ｍｏｂｉｌｅ Ｓｕｂｓｃｒｉｂｅｒ Ｉｄｅｎｔｉｔｙ)及びＧＵＴＩ(Ｇｌｏｂａｌｌｙ Ｕｎｉｑｕｅ Ｔｅｍｐｏｒａｒｙ Ｉｄｅｎｔｉｆｉｅｒ)の構造を例を示す。
【００８９】
図８に示すように、Ａｃｔｉｏｎ ｃｏｄｅ３の場合、ＩＭＳＩまたは既に取得したＧＵＴＩ内のＭＣＣ(Ｍｏｂｉｌｅ Ｃｏｕｎｔｒｙ Ｃｏｄｅ)とＭＮＣ(Ｍｏｂｉｌｅ Ｎｅｔｗｏｒｋ Ｃｏｄｅ)を抽出することができ、このようなネットワークの識別子情報を前記応答メッセージ(ＡＲＳＩ−ＲＳＰ)フレーム内のｏｕｔｐｕｔパラメータで構成することができる。
【００９０】
Ａｃｔｉｏｎ ｃｏｄｅ４の場合、ＢＳ Ｃｏｎｔｒｏｌｌｅｒの識別子情報を前記応答メッセージ(ＡＲＳＩ−ＲＳＰ)フレーム内のｏｕｔｐｕｔパラメータで構成することができる。一例として、一般装置は、既に取得したＧＵＴＩ(Ｇｌｏｂａｌｌｙ Ｕｎｉｑｕｅ Ｔｅｍｐｏｒａｒｙ Ｉｄｅｎｔｉｆｉｅｒ)から図８に示すようにＭＭＥＧＩ(ＭＭＥ Ｇｒｏｕｐ Ｉｄｅｎｔｉｆｉｅｒ)とＭＭＥＣ(ＭＭＥ Ｃｏｄｅ)を抽出することができ、このようなＢＳ Ｃｏｎｔｒｏｌｌｅｒの識別子情報を前記応答メッセージ(ＡＲＳＩ−ＲＳＰ)フレーム内のｏｕｔｐｕｔパラメータで構成することができる。
【００９１】
Ａｃｔｉｏｎ ｃｏｄｅ５の場合、ＣｅｌｌまたはＢＳの識別子情報を前記応答メッセージ(ＡＲＳＩ−ＲＳＰ)フレーム内のｏｕｔｐｕｔパラメータで構成することができる。一例として、ＰＳＳ(Ｐｒｉｍａｒｙ Ｓｙｎｃｈｒｏｎｉｚａｔｉｏｎ Ｓｉｇｎａｌ)とＳＳＳ(Ｓｅｃｏｎｄａｒｙ Ｓｙｎｃｈｒｏｎｉｚａｔｉｏｎ Ｓｉｇｎａｌ)を受信し、既に取得した物理階層識別子(ｐｈｙｓｉｃａｌ ｌａｙｅｒ ｉｄｅｎｔｉｔｙ)とセルグループ識別子(ｃｅｌｌ ｇｒｏｕｐ ｉｄｅｎｔｉｔｙ)を利用してＰＣＩ(Ｐｈｙｓｉｃａｌ Ｃｅｌｌ ＩＤ)を抽出することができる。また、放送チャネル(Ｂｒｏａｄｃａｓｔ Ｃｈａｎｎｅｌ)を介して既に受信されたｓｙｓｔｅｍ ｉｎｆｏｒｍａｔｉｏｎ ｂｌｏｃｋ ｔｙｐｅ１内のＣｅｌｌ Ｉｄｅｎｔｉｔｙ(Ｅ−ＵＴＲＡＮ Ｃｅｌｌ Ｉｄｅｎｔｉｆｉｅｒ：ｅＮＢ ＩＤ＋ＰＣＩ)を抽出することができる。このようなセルの識別子情報を前記応答メッセージ(ＡＲＳＩ−ＲＳＰ)フレーム内のｏｕｔｐｕｔパラメータで構成することができる。また、一例として、プライマリＲＡＴシステムがＩＥＥＥ８０２.１６ｅの場合、既に受信されたＤＣＤ(ＤＬ Ｃｈａｎｎｅｌ Ｄｅｓｃｒｉｐｔｏｒ)内のＢＳ ＩＤを抽出することができ、プライマリＲＡＴシステムがＩＥＥＥ８０２.１６ｍの場合、既に受信したＳＦＨ(Ｓｕｐｅｒ Ｆｒａｍｅ Ｈｅａｄｅｒ)ｓｕｂ−ｐａｃｋｅｔ内のＡＢＳ ＭＡＣ ＩＤを抽出することができる。このようなＢＳの識別子情報を前記応答メッセージ(ＡＲＳＩ−ＲＳＰ)フレーム内のｏｕｔｐｕｔパラメータで構成することができる。
【００９２】
Ａｃｔｉｏｎ ｃｏｄｅ６の場合、一般装置の位置情報を前記応答メッセージ(ＡＲＳＩ−ＲＳＰ)フレーム内のｏｕｔｐｕｔパラメータで構成することができる。一例として、一般装置は、ＬＰＰ(ＬＴＥ Ｐｏｓｉｔｉｏｎｉｎｇ Ｐｒｏｔｏｃｏｌ)に適用されたＯＴＤＯＡ(Ｏｂｓｅｒｖｅｄ Ｔｉｍｅ Ｄｉｆｆｅｒｅｎｃｅ Ｏｆ Ａｒｒｉｖａｌ)、Ａ−ＧＮＳＳ(Ａｓｓｉｓｔｅｄ Ｇｌｏｂａｌ Ｎａｖｉｇａｔｉｏｎ Ｓａｔｅｌｌｉｔｅ Ｓｙｓｔｅｍ)、Ｅ−ＣＩＤ(Ｅｎｈａｎｃｅｄ Ｃｅｌｌ ＩＤ)などの方式を利用して自分の位置を把握することができ、このような一般装置の位置情報を前記応答メッセージ(ＡＲＳＩ−ＲＳＰ)フレーム内のｏｕｔｐｕｔパラメータで構成することができる。
【００９３】
次に、プライマリＲＡＴシステムでの一般装置の状態が“活性化状態(Ａｃｔｉｖｅ ｍｏｄｅ)”でない場合、即ち、一般装置の状態が“Ｉｄｌｅ ｍｏｄｅ”または“ｏｎｌｙ ＲＲＣ−ｃｏｎｎｅｃｔｅｄ ｍｏｄｅ”または“ＥＭＭ−Ｄｅｒｅｇｉｓｔｅｒｅｄ”などの場合、前記２ステップの動作に対して詳細に説明する。
【００９４】
まず、プライマリＲＡＴシステムまたは一般装置が該当Ａｃｔｉｏｎに対する結果を他のシステムに伝達することを許容すると仮定し、前記プライマリＲＡＴシステム情報要求メッセージ(例えば、ＡＲＳＩ−ＲＥＱメッセージ)内のＡｃｔｉｏｎ ｃｏｄｅがＡｃｔｉｏｎ ｃｏｄｅ１に設定されている場合、一般装置は、前記応答メッセージ(ＡＲＳＩ−ＲＳＰ)内の‘Ｒｅｓｕｌｔ’を‘ｒｅｊｅｃｔ’に設定し、‘Ｒｅａｓｏｎ’を‘ｎｏｔ ｓｕｉｔａｂｌｅ’に設定することができ、前記一般装置は、残りの設定されたＡｃｔｉｏｎを実行しないこともある。
【００９５】
しかし、もし、プライマリＲＡＴシステムでの一般装置の状態が活性化状態でない場合、前記プライマリＲＡＴシステム情報要求メッセージ(例えば、ＡＲＳＩ−ＲＥＱメッセージ)内のＡｃｔｉｏｎ ｃｏｄｅがＡｃｔｉｏｎ ｃｏｄｅ２に設定されている場合、前記一般装置は、設定された各Ａｃｔｉｏｎ ｃｏｄｅのための動作を下記のように実行することができる。
【００９６】
Ａｃｔｉｏｎ ｃｏｄｅ３の場合、ネットワークの識別子情報を前記応答メッセージ(ＡＲＳＩ−ＲＳＰ)フレーム内のｏｕｔｐｕｔパラメータで構成することができる。一例として、一般装置は、ＧＵＴＩ(Ｇｌｏｂａｌｌｙ Ｕｎｉｑｕｅ Ｔｅｍｐｏｒａｒｙ Ｉｄｅｎｔｉｆｉｅｒ)内のＭＣＣ(Ｍｏｂｉｌｅ Ｃｏｕｎｔｒｙ Ｃｏｄｅ)とＭＮＣ(Ｍｏｂｉｌｅ Ｎｅｔｗｏｒｋ Ｃｏｄｅ)を抽出することができる。また、前記一般装置は、ＢＣＨ(Ｂｒｏａｄｃａｓｔ Ｃｈａｎｎｅｌ)を介して受信したＳＩＢ ｔｙｐｅ１(ｓｙｓｔｅｍ ｉｎｆｏｒｍａｔｉｏｎ ｂｌｏｃｋ ｔｙｐｅ１)内のＰｌｍｎ−ＩｄｅｎｔｉｔｙＬｉｓｔを抽出することもできる。ここで、前記一般装置の状態が‘ｏｎｌｙ ＲＲＣ−ｃｏｎｎｅｃｔｅｄ’状態の場合、既に取得したＳＩＢ１内のＰｌｍｎ−ＩｄｅｎｔｉｔｙＬｉｓｔを抽出することもできる。このように抽出したネットワークの識別子情報を前記応答メッセージ(ＡＲＳＩ−ＲＳＰ)フレーム内のｏｕｔｐｕｔパラメータで構成することができる。
【００９７】
Ａｃｔｉｏｎ ｃｏｄｅ４の場合、ＢＳ Ｃｏｎｔｒｏｌｌｅｒの識別子情報を前記応答メッセージ(ＡＲＳＩ−ＲＳＰ)フレーム内のｏｕｔｐｕｔパラメータで構成することができる。一例として、一般装置は、ＧＵＴＩ(Ｇｌｏｂａｌｌｙ Ｕｎｉｑｕｅ Ｔｅｍｐｏｒａｒｙ Ｉｄｅｎｔｉｆｉｅｒ)内のＭＭＥＧＩ(ＭＭＥ Ｇｒｏｕｐ Ｉｄｅｎｔｉｆｉｅｒ)とＭＭＥＣ(ＭＭＥ Ｃｏｄｅ)を抽出することができる。ここで、前記ＧＵＴＩを利用して前記応答メッセージ(ＡＲＳＩ−ＲＳＰ)フレーム内のｏｕｔｐｕｔパラメータで構成するにあたって、前記一般装置がＩｄｌｅ状態でない場合(例えば、Ｎｕｌｌ)、前記一般装置は、Ａｔｔａｃｈを実行してＧＵＴＩを取得し、前記ＧＵＴＩを利用して前記応答メッセージ(ＡＲＳＩ−ＲＳＰ)フレーム内のｏｕｔｐｕｔパラメータで構成する。前記一般装置がＩｄｌｅ状態の場合、前記一般装置は、まず、ＢＣＨ ＳＩＢ ｔｙｐｅ１を受信してＴＡＵが要求されるかどうかを判断する。ここで、前記ＴＡＵが要求されるかどうかは、前記一般装置自分が有しているＴＡ ＬｉｓｔのＴＡＣ(Ｔｒａｃｋｉｎｇ Ａｒｅａ Ｃｏｄｅ)とＳＩＢ ｔｙｐｅ１のＴＡＣを比較して決定することができ、前記ＴＡＵが要求される場合、前記一般装置は、ＴＡＵ過程を介して新しいＧＵＴＩを取得し、前記ＴＡＵが要求されない場合、前記一般装置は、既存ＧＵＴＩを利用する。また、前記一般装置は、ＧＵＴＩ取得のための手順またはＢＣＨ ＳＩＢ ｔｙｐｅ１受信などの追加的な動作を実行せずに、前記応答メッセージ(ＡＲＳＩ−ＲＳＰ)内のｒｅｓｕｌｔをｒｅｊｅｃｔに設定し、または該当情報を含まないこともある。
【００９８】
Ａｃｔｉｏｎ ｃｏｄｅ５の場合、ＣｅｌｌまたはＢＳの識別子情報を前記応答メッセージ(ＡＲＳＩ−ＲＳＰ)フレーム内のｏｕｔｐｕｔパラメータで構成することができる。一例として、一般装置は、ＰＳＳ(Ｐｒｉｍａｒｙ Ｓｙｎｃｈｒｏｎｉｚａｔｉｏｎ Ｓｉｇｎａｌ)とＳＳＳ(Ｓｅｃｏｎｄａｒｙ Ｓｙｎｃｈｒｏｎｉｚａｔｉｏｎ Ｓｉｇｎａｌ)を受信すべきであり、該当シグナルを介して取得した物理階層識別子(ｐｈｙｓｉｃａｌ ｌａｙｅｒ ｉｄｅｎｔｉｔｙ)とセルグループ識別子(ｃｅｌｌ ｇｒｏｕｐ ｉｄｅｎｔｉｔｙ)を利用してＰＣＩ(Ｐｈｙｓｉｃａｌ Ｃｅｌｌ ＩＤ)を抽出することができる。また、追加的に放送チャネル(Ｂｒｏａｄｃａｓｔ Ｃｈａｎｎｅｌ)を介してｓｙｓｔｅｍ ｉｎｆｏｒｍａｔｉｏｎ ｂｌｏｃｋ ｔｙｐｅ１内で該当情報を抽出することができる。ここで、前記一般装置の状態が‘ｏｎｌｙ ＲＲＣ−ｃｏｎｎｅｃｔｅｄ’の場合、既に取得した同期化(ｓｙｎｃｈｒｏｎｉｚａｔｉｏｎ)情報及びＢＣＨ ＳＩＢ１情報から該当情報を抽出することができる。このように抽出された該当情報を前記応答メッセージ(ＡＲＳＩ−ＲＳＰ)フレーム内のｏｕｔｐｕｔパラメータで構成することができる。また、一例として、プライマリＲＡＴシステムがＩＥＥＥ８０２.１６ｅの場合、既に受信したＤＣＤ(ＤＬ Ｃｈａｎｎｅｌ Ｄｅｓｃｒｉｐｔｏｒ)内のＢＳ ＩＤを抽出することができ、プライマリＲＡＴシステムがＩＥＥＥ８０２.１６ｍの場合、既に受信したＳＦＨ(Ｓｕｐｅｒ Ｆｒａｍｅ Ｈｅａｄｅｒ)ｓｕｂ−ｐａｃｋｅｔ内のＡＢＳ ＭＡＣ ＩＤを抽出することができる。このようなＢＳの識別子情報を前記応答メッセージ(ＡＲＳＩ−ＲＳＰ)フレーム内のｏｕｔｐｕｔパラメータで構成することができる。また、前記一般装置は、前記同期化(ｓｙｎｃｈｒｏｎｉｚａｔｉｏｎ)のための手順、前記ＢＣＨ ＳＩＢ１受信手順、前記ＤＣＤ受信手順、前記ＳＦＨ受信手順などの追加的な動作を実行せずに、前記応答メッセージ(ＡＲＳＩ−ＲＳＰ)内のｒｅｓｕｌｔをｒｅｊｅｃｔに設定し、または該当情報を含まないこともある。
【００９９】
Ａｃｔｉｏｎ ｃｏｄｅ６の場合、一般装置の位置情報を前記応答メッセージ(ＡＲＳＩ−ＲＳＰ)フレーム内のｏｕｔｐｕｔパラメータで構成することができる。一例として、一般装置は、ＬＰＰ(ＬＴＥ Ｐｏｓｉｔｉｏｎｉｎｇ Ｐｒｏｔｏｃｏｌ)に適用されたＯＴＤＯＡ(Ｏｂｓｅｒｖｅｄ Ｔｉｍｅ Ｄｉｆｆｅｒｅｎｃｅ Ｏｆ Ａｒｒｉｖａｌ)、Ａ−ＧＮＳＳ(Ａｓｓｉｓｔｅｄ Ｇｌｏｂａｌ Ｎａｖｉｇａｔｉｏｎ Ｓａｔｅｌｌｉｔｅ Ｓｙｓｔｅｍ)、Ｅ−ＣＩＤ(Ｅｎｈａｎｃｅｄ Ｃｅｌｌ ＩＤ)などの方式によって、活性化モードに転換して自分の位置を把握することができ、このような一般装置の位置情報を前記応答メッセージ(ＡＲＳＩ−ＲＳＰ)フレーム内のｏｕｔｐｕｔパラメータで構成することができる。また、前記一般装置は、自分の位置を把握せずに、前記応答メッセージ(ＡＲＳＩ−ＲＳＰ)内のｒｅｓｕｌｔをｒｅｊｅｃｔに設定し、または該当情報を含まないこともある。
【０１００】
次に、前記ＡＰが前記応答メッセージ(ＡＲＳＩ−ＲＳＰ)を受信した後、前記ＡＲＳＩ−ＲＳＰ内の‘Ｒｅｓｕｌｔ’パラメータ値による動作実行及びこれを管理装置(例えば、管理サーバ)に報告する３ステップに対して詳細に説明する。ここで、前記プライマリＲＡＴシステム情報報告は、特定報告メッセージを管理サーバに送信して実行することができ、前記特定報告メッセージは、Ａｄｖａｎｃｅｄ ｐｒｉｍａｒｙ ＲＡＴ Ｓｙｓｔｅｍ ｉｎｆｏｒｍａｔｉｏｎ Ｒｅｐｏｒｔ(ＡＲＳＩ−ＲＥＰ)メッセージという。
【０１０１】
前記応答メッセージ(ＡＲＳＩ−ＲＳＰ)内の‘Ｒｅｓｕｌｔ’パラメータが‘Ｒｅｊｅｃｔ’の場合、前記ＡＰは、ＷｉＦｉ ａｉｒ ｌｉｎｋを介してプライマリＲＡＴシステム情報を一般装置に要求するステップ、即ち、前記１ステップを再実行することができる。ここで、前記ＡＰは、‘前記‘Ｒｅｊｅｃｔ’を送信した一般装置には前記要求ステップを送らない。
【０１０２】
前記応答メッセージ(ＡＲＳＩ−ＲＳＰ)内の‘Ｒｅｓｕｌｔ’パラメータが‘Ａｃｃｅｐｔ’の場合、追加的な情報が要求されるとき、前記ＡＰは、ＷｉＦｉ ａｉｒ ｌｉｎｋを介してプライマリＲＡＴシステム情報を一般装置に要求するステップ、即ち、前記１ステップを再実行することができる。または、前記応答メッセージ(ＡＲＳＩ−ＲＳＰ)内の‘Ｒｅｓｕｌｔ’パラメータが‘Ａｃｃｅｐｔ’の場合、前記ＡＰは、取得した‘ｏｕｔｐｕｔ’パラメータ情報を前記ＡＰ情報管理装置(例えば、ＷＡＧ、管理サーバ)に送信することができる。このとき、前記応答メッセージ(ＡＲＳＩ−ＲＳＰ)内の一般装置に対する位置情報に基づいてＡＰ自分の位置を推定することができる場合、前記ＡＰは、前記推定された位置情報も共に送信することができる。
【０１０３】
また、前記ＡＰは、ＡＰの動作バンド(ｏｐｅｒａｔｉｎｇ ｂａｎｄ)、動作クラス(ｏｐｅｒａｔｉｎｇ ｃｌａｓｓ)、チャネル番号(ｃｈａｎｎｅｌ ｎｕｍｂｅｒ)、ＡＰのＭＡＣアドレス(例えば、ＢＳＳＩＤ(Ｂａｓｉｃ Ｓｅｒｖｉｃｅ Ｓｅｔ Ｉｄｅｎｔｉｆｉｅｒ))ＡＰのＨＥＳＳＩＤ、ＡＰのＳＳＩＤ、全てのユーザに使用可能なＡＰか、または制限されたユーザのみが使用することができるＡＰか(例えば、ｏｐｅｎ ｓｕｂｓｃｒｉｂｅｒ ｇｒｏｕｐ ｏｒ ｃｌｏｓｅｄ ｓｕｂｓｃｒｉｂｅｒ ｇｒｏｕｐ ｗｉｔｈ ｐａｓｓｗｏｒｄ)等の自分と関連した情報を共に送信することができる。
【０１０４】
また、前記ＡＰとＡＰ情報管理装置との間に新しいエンティティ(例えば、ｄｕａｌ−ｓｔａｃｋ Ｇａｔｅｗａｙ、ＡＰ ｃｏｎｔｒｏｌｌｅｒ)を追加することで、該当エンティティは、各ＡＰが送信したこれらの情報を集め、送信形態を変形してＡＰ情報管理装置に送信することができる。ここで、前記ＡＰまたは該当エンティティは、ＡＰ情報管理装置に対する情報(例えば、アドレス)を予め知っている、または認証過程を介して認証サーバを介して取得して知ることができる。
【０１０５】
以後、前記ＡＰ情報管理装置は、前記ＡＲＳＩ−ＲＥＰメッセージを受信した後、前記ＡＲＳＩ−ＲＥＰメッセージ内のパラメータ情報を格納及び管理する。ここで、前記ＡＰ情報管理装置が管理する情報は、ＡＰのＭＡＣアドレス(例えば、ＢＳＳＩＤ(Ｂａｓｉｃ Ｓｅｒｖｉｃｅ Ｓｅｔ Ｉｄｅｎｔｉｆｉｅｒ))、該当ＡＰのカバレッジと重なるプライマリＲＡＴシステムのネットワークの識別子、該当ＡＰのカバレッジと重なるプライマリＲＡＴシステムのＢＳ ｃｏｎｔｒｏｌｌｅｒの識別子、該当ＡＰのカバレッジと重なるプライマリＲＡＴシステムのセル(Ｃｅｌｌ)またはＢＳ(Ｂａｓｅ ｓｔａｔｉｏｎ)の識別子、該当ＡＰに接続されている一般装置の位置情報、該当ＡＰの位置情報などになることができる。また、前記ＡＰ情報管理装置が管理する情報は、ＡＰの動作バンド(ｏｐｅｒａｔｉｎｇ ｂａｎｄ)、動作クラス(ｏｐｅｒａｔｉｎｇ ｃｌａｓｓ)、チャネル番号(ｃｈａｎｎｅｌ ｎｕｍｂｅｒ)、ＡＰのＨＥＳＳＩＤ、ＡＰのＳＳＩＤ、全てのユーザに使用可能なＡＰか、または制限されたユーザのみが使用することができるＡＰか(例えば、ｏｐｅｎ ｓｕｂｓｃｒｉｂｅｒ ｇｒｏｕｐ ｏｒ ｃｌｏｓｅｄ ｓｕｂｓｃｒｉｂｅｒ ｇｒｏｕｐ ｗｉｔｈ ｐａｓｓｗｏｒｄ)に対する情報などになることができる。
【０１０６】
図９は、本発明の実施例が具現される無線通信システムのブロック図である。
【０１０７】
セルラノード８００は、プロセッサ(ｐｒｏｃｅｓｓｏｒ)８１０、メモリ(ｍｅｍｏｒｙ)８２０及びＲＦ部(Ｒａｄｉｏ Ｆｒｅｑｕｅｎｃｙ ｕｎｉｔ)８３０を含む。プロセッサ８１０は、提案された機能、過程及び/または方法を具現する。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び/または受信する。
【０１０８】
Ｗｉ−Ｆｉエンティティまたは一般装置９００は、プロセッサ９１０、メモリ９２０及びＲＦ部９３０を含む。プロセッサ９１０は、提案された機能、過程及び/または方法を具現する。無線インターフェースプロトコルの階層は、プロセッサ９１０により具現されることができる。メモリ９２０は、プロセッサ９１０と連結され、プロセッサ９１０を駆動するための多様な情報を格納する。ＲＦ部９３０は、プロセッサ９１０と連結され、無線信号を送信及び/または受信する。
【０１０９】
プロセッサ８１０、９１０は、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路及び/またはデータ処理装置を含むことができる。メモリ８２０、９２０は、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/または他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール(過程、機能など)で具現することができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段によりプロセッサ８１０、９１０と連結することができる。
【０１１０】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【０１１１】
前述した実施例は、多様な態様の例示を含む。多様な態様を示すための全ての可能な組合せを記述することはできないが、該当技術分野の通常の知識を有する者は、他の組合せが可能であることを認識することができる。したがって、本発明は、特許請求の範囲内に属する全ての交替、修正及び変更を含む。
【図１】
2016502342.tif 000004
【図３】
2016502342.tif 000005
【図２】
2016502342.tif 000006
【図４】
2016502342.tif 000007
【図５】
2016502342.tif 000008
【図６】
2016502342.tif 000009
【図７】
2016502342.tif 000010
【図８】
2016502342.tif 000011
【図９】
2016502342.tif 000012
【手続補正書】
【提出日】平成27年5月26日(2015.5.26)
【手続補正１】
【補正対象書類名】明細書
【補正対象項目名】０００８
【補正方法】変更
【補正の内容】
【０００８】
【図１】セルラシステムを示す。
【図２】３ＧＰＰ ＬＴＥにおける無線フレーム(ｒａｄｉｏｆｒａｍｅ)の構造を示す。
【図３】無線ＬＡＮ(ＷＬＡＮ；ｗｉｒｅｌｅｓｓ ｌｏｃａｌ ａｒｅａ ｎｅｔｗｏｒｋ)システムを示す。
【図４】セルラシステムとＷｉ−Ｆｉシステムが融合された通信システムのシナリオの一例を示す。
【図５】プライマリＲＡＴシステムにおける、一般装置が活性化状態(ａｃｔｉｖｅ ｍｏｄｅ)の場合、一般装置を利用したプライマリＲＡＴシステム情報を取得する手順の一例を示す。
【図６】本発明による、プライマリＲＡＴシステムにおいて、一般装置がアイドル状態(Ｉｄｌｅ ｍｏｄｅ)の場合、一般装置を利用したプライマリＲＡＴシステム情報を取得する手順の一例を示す。
【図７】無線ＬＡＮシステムで提供されるＭＡＣフレームのフォーマットを示すブロック図である。
【図８】本発明による、ＩＭＳＩ(Ｉｎｔｅｒｎａｔｉｏｎａｌ Ｍｏｂｉｌｅ Ｓｕｂｓｃｒｉｂｅｒ Ｉｄｅｎｔｉｔｙ)及びＧＵＴＩ(Ｇｌｏｂａｌｌｙ Ｕｎｉｑｕｅ Ｔｅｍｐｏｒａｒｙ Ｉｄｅｎｔｉｆｉｅｒ)の構造を示す。
【図９】本発明の実施例が具現される無線通信システムのブロック図である。
【手続補正２】
【補正対象書類名】明細書
【補正対象項目名】０００９
【補正方法】変更
【補正の内容】
【０００９】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような多様な無線通信システムに使われることができる。ＣＤＭＡは、ＵＴＲＡ(ｕｎｉｖｅｒｓａｌ ｔｅｒｒｅｓｔｒｉａｌ ｒａｄｉｏ ａｃｃｅｓｓ)やＣＤＭＡ２０００のような無線技術(ｒａｄｉｏ ｔｅｃｈｎｏｌｏｇｙ)で具現することができる。ＴＤＭＡは、ＧＳＭ(ｇｌｏｂａｌ ｓｙｓｔｅｍ ｆｏｒ ｍｏｂｉｌｅ ｃｏｍｍｕｎｉｃａｔｉｏｎｓ)/ＧＰＲＳ(ｇｅｎｅｒａｌ ｐａｃｋｅｔ ｒａｄｉｏ ｓｅｒｖｉｃｅ)/ＥＤＧＥ(ｅｎｈａｎｃｅｄ ｄａｔａ ｒａｔｅｓ ｆｏｒ ＧＳＭ ｅｖｏｌｕｔｉｏｎ)のような無線技術で具現することができる。ＯＦＤＭＡは、ＩＥＥＥ(ｉｎｓｔｉｔｕｔｅ ｏｆ ｅｌｅｃｔｒｉｃａｌ ａｎｄ ｅｌｅｃｔｒｏｎｉｃｓ ｅｎｇｉｎｅｅｒｓ)８０２.１１(Ｗｉ−Ｆｉ)、ＩＥＥＥ８０２.１６(ＷｉＭＡＸ)、ＩＥＥＥ８０２−２０、Ｅ−ＵＴＲＡ(ｅｖｏｌｖｅｄ ＵＴＲＡ)などのような無線技術で具現することができる。ＩＥＥＥ８０２.１６ｍは、ＩＥＥＥ８０２.１６ｅの進化であり、ＩＥＥＥ８０２.１６ｅに基づくシステムとの後方互換性(ｂａｃｋｗａｒｄ ｃｏｍｐａｔｉｂｉｌｉｔｙ)を提供する。ＵＴＲＡは、ＵＭＴＳ(ｕｎｉｖｅｒｓａｌ ｍｏｂｉｌｅ ｔｅｌｅｃｏｍｍｕｎｉｃａｔｉｏｎｓ ｓｙｓｔｅｍ)の一部である。３ＧＰＰ(３ｒｄ ｇｅｎｅｒａｔｉｏｎ ｐａｒｔｎｅｒｓｈｉｐ ｐｒｏｊｅｃｔ)ＬＴＥ(ｌｏｎｇ ｔｅｒｍ ｅｖｏｌｕｔｉｏｎ)は、Ｅ−ＵＴＲＡ(ｅｖｏｌｖｅｄ−ＵＭＴＳ ｔｅｒｒｅｓｔｒｉａｌ ｒａｄｉｏ ａｃｃｅｓｓ)を使用するＥ−ＵＭＴＳ(ｅｖｏｌｖｅｄ ＵＭＴＳ)の一部であり、ダウンリンクでＯＦＤＭＡを採用し、アップリンクでＳＣ−ＦＤＭＡを採用する。ＬＴＥ−Ａ(ａｄｖａｎｃｅｄ)は、３ＧＰＰ ＬＴＥの進化である。
説明を明確にするために、３ＧＰＰ ＬＴＥ(−Ａ)及びＩＥＥＥ８０２.１１を中心に記述するが、本発明の技術的思想がこれに限定されるものではない。
【国際調査報告】
2016502342.tif 000013
2016502342.tif 000014
2016502342.tif 000015
2016502342.tif 000016